(57)【要約】【課題】設定操作用画面のような別画面をモニタリング用画面とともに表示部に表示させる場合において、生体情報モニタ装置の使いやすさを向上させること。【解決手段】ベッドサイドモニタ表示部１０３は、モニタリング用画面を表示し、モニタリング用画面内に、モニタリング対象の生体情報の計測結果を示す波形または文字を描画し、設定操作用画面をモニタリング用画面に重ねて表示して設定操作用画面によりモニタリング関連の設定操作を可能にする。ベッドサイドモニタ表示部１０３は、設定操作用画面に覆われたモニタリング用画面内の波形または文字が透けて見えるように、設定操作用画面を半透明に表示する。【選択図】図７Ｂ
2011182872.tif 000002
【特許請求の範囲】
【請求項１】
モニタリング用画面を表示し、モニタリング用画面内に、モニタリング対象の生体情報の計測結果を示す波形または文字を描画し、設定操作用画面をモニタリング用画面に重ねて表示して設定操作用画面によりモニタリング関連の設定操作を可能にする表示手段を有し、
前記表示手段は、設定操作用画面に覆われたモニタリング用画面内の波形または文字が透けて見えるように、設定操作用画面を半透明に表示する、
生体情報モニタ装置。
【請求項２】
設定操作用画面は、設定操作の入力を受け付ける入力領域と、残余の領域である非入力領域と、を含み、
前記表示手段は、
入力領域に覆われたモニタリング用画面内の波形または文字が隠れるように、入力領域を不透明に表示し、
非入力領域に覆われたモニタリング用画面内の波形または文字が透けて見えるように、非入力領域を半透明に表示する、
請求項１記載の生体情報モニタ装置。
【請求項３】
前記表示手段は、生体情報の計測結果に異常が生じたことを条件として、表示中の設定操作用画面の透明度を増大させる、
請求項１記載の生体情報モニタ装置。
【請求項４】
前記表示手段は、生体情報の計測結果に異常が生じたことを条件として、表示中の入力領域を半透明化する、
請求項２記載の生体情報モニタ装置。
【請求項５】
前記表示手段は、生体情報の計測結果に異常が生じたことを条件として、設定操作用画面に覆われたモニタリング用画面内の波形または文字を強調表示する、
請求項１記載の生体情報モニタ装置。
【請求項６】
前記表示手段は、モニタリング用画面内に、複数種類の生体情報の計測結果をそれぞれ示す波形または文字が同時に含まれている場合には、複数種類の生体情報のうち異常が生じている生体情報の計測結果を示す波形または文字を強調表示する、
請求項５記載の生体情報モニタ装置。
【請求項７】
前記表示手段は、モニタリング関連の設定操作が開始されたことを条件として、表示中の設定操作用画面の透明度を増大させる、
請求項１記載の生体情報モニタ装置。
【請求項８】
前記表示手段は、モニタリング関連の設定操作が開始されたことを条件として、表示中の入力領域を半透明化する、
請求項２記載の生体情報モニタ装置。
【請求項９】
前記表示手段は、モニタリング関連の設定操作が開始されたことを条件として、設定操作用画面に覆われたモニタリング用画面内の波形または文字を強調表示する、
請求項１記載の生体情報モニタ装置。
【請求項１０】
前記表示手段は、モニタリング用画面内に、複数種類の生体情報の計測結果をそれぞれ示す波形または文字が同時に含まれている場合には、複数種類の生体情報のうち開始された設定操作の対象となっている生体情報の計測結果を示す波形または文字を強調表示する、
請求項９記載の生体情報モニタ装置。
【請求項１１】
前記表示手段は、設定操作用画面に覆われたモニタリング用画面内の波形または文字と同一の波形または文字を、設定操作用画面に覆われたモニタリング用画面内の波形または文字と位置合わせして、且つ、モニタリング用画面と設定操作用画面とに重ねて表示することにより、強調表示を行う、
請求項５または請求項９記載の生体情報モニタ装置。
【請求項１２】
前記表示手段は、透明の画面を、モニタリング用画面と設定操作用画面とに重ねて表示し、透明の画面内に、設定操作用画面に覆われたモニタリング用画面内の波形または文字と同一の波形または文字を描画することにより、強調表示を行う、
請求項１１記載の生体情報モニタ装置。
【請求項１３】
モニタリング用画面を表示し、モニタリング用画面内に、モニタリング対象の生体情報の計測結果を示す波形または文字を描画し、別画面をモニタリング用画面に重ねて表示する表示手段を有し、
前記表示手段は、生体情報の計測結果に異常が生じたことを条件として、表示中の別画面の透明度を増大させる、
生体情報モニタ装置。
【請求項１４】
前記表示手段は、別画面に覆われたモニタ用画面内の波形または文字が隠れるように別画面を不透明に表示している場合には、生体情報の計測結果に異常が生じたことを条件として、別画面に覆われたモニタリング用画面内の波形または文字が透けて見えるように、表示中の別画面を半透明化する、
請求項１３記載の生体情報モニタ装置。
【請求項１５】
別画面は、第１の領域と第２の領域とを含み、
前記表示手段は、
第１の領域に覆われたモニタリング用画面内の波形または文字が隠れるように、第１の領域を不透明に表示し、
第２の領域に覆われたモニタリング用画面内の波形または文字が透けて見えるように、第２の領域を半透明に表示し、
生体情報の計測結果に異常が生じたことを条件として、第１の領域に覆われたモニタリング用画面内の波形または文字が透けて見えるように、表示中の第１の領域を半透明化する、
請求項１３記載の生体情報モニタ装置。
【請求項１６】
前記表示手段は、生体情報の計測結果に異常が生じたことを条件として、別画面に覆われたモニタリング用画面内の波形または文字を強調表示する、
請求項１３記載の生体情報モニタ装置。
【請求項１７】
前記表示手段は、モニタリング用画面内に、複数種類の生体情報の計測結果をそれぞれ示す波形または文字が同時に含まれている場合には、複数種類の生体情報のうち異常が生じている生体情報の計測結果を示す波形または文字を強調表示する、
請求項１６記載の生体情報モニタ装置。
【請求項１８】
モニタリング用画面を表示し、モニタリング用画面内に、モニタリング対象の生体情報の計測結果を示す波形または文字を描画し、別画面をモニタリング用画面に重ねて表示する表示手段を有し、
前記表示手段は、モニタリング関連の設定操作が開始されたことを条件として、表示中の別画面の透明度を増大させる、
生体情報モニタ装置。
【請求項１９】
前記表示手段は、別画面に覆われたモニタ用画面内の波形または文字が隠れるように別画面を不透明に表示している場合には、モニタリング関連の設定操作が開始されたことを条件として、別画面に覆われたモニタリング用画面内の波形または文字が透けて見えるように、表示中の別画面を半透明化する、
請求項１８記載の生体情報モニタ装置。
【請求項２０】
別画面は、第１の領域と第２の領域とを含み、
前記表示手段は、
第１の領域に覆われたモニタリング用画面内の波形または文字が隠れるように、第１の領域を不透明に表示し、
第２の領域に覆われたモニタリング用画面内の波形または文字が透けて見えるように、第２の領域を半透明に表示し、
モニタリング関連の設定操作が開始されたことを条件として、第１の領域に覆われたモニタリング用画面内の波形または文字が透けて見えるように、表示中の第１の領域を半透明化する、
請求項１８記載の生体情報モニタ装置。
【請求項２１】
前記表示手段は、モニタリング関連の設定操作が開始されたことを条件として、別画面に覆われたモニタリング用画面内の波形または文字を強調表示する、
請求項１８記載の生体情報モニタ装置。
【請求項２２】
前記表示手段は、モニタリング用画面内に、複数種類の生体情報の計測結果をそれぞれ示す波形または文字が同時に含まれている場合には、複数種類の生体情報のうち開始された設定操作の対象となっている生体情報の計測結果を示す波形または文字を強調表示する、
請求項２１記載の生体情報モニタ装置。
【請求項２３】
前記表示手段は、別画面に覆われたモニタリング用画面内の波形または文字と同一の波形または文字を、別画面に覆われたモニタリング用画面内の波形または文字と位置合わせして、且つ、モニタリング用画面と別画面とに重ねて表示することにより、強調表示を行う、
請求項１６または請求項２１記載の生体情報モニタ装置。
【請求項２４】
前記表示手段は、透明の画面を、モニタリング用画面と別画面とに重ねて表示し、透明の画面内に、別画面に覆われたモニタリング用画面内の波形または文字と同一の波形または文字を描画することにより、強調表示を行う、
請求項２３記載の生体情報モニタ装置。
【請求項２５】
モニタリング用画面を表示し、モニタリング用画面内に、モニタリング対象の生体情報の計測結果を示す波形または文字を描画し、別画面をモニタリング用画面に重ねて表示する表示手段を有し、
前記表示手段は、生体情報の計測結果に異常が生じたことを条件として、別画面に覆われたモニタリング用画面内の波形または文字を強調表示する、
生体情報モニタ装置。
【請求項２６】
モニタリング用画面を表示し、モニタリング用画面内に、モニタリング対象の生体情報の計測結果を示す波形または文字を描画し、別画面をモニタリング用画面に重ねて表示する表示手段を有し、
前記表示手段は、モニタリング関連の設定操作が開始されたことを条件として、別画面に覆われたモニタリング用画面内の波形または文字を強調表示する、
生体情報モニタ装置。
【請求項２７】
前記表示手段は、モニタリング用画面に重ねて表示されている画面を一時的に最小化表示し、その後に復元させる場合には、復元後の画面を、最小化表示前とは異なる位置に表示する、
請求項１、請求項１３、請求項１８、請求項２５および請求項２６のいずれかに記載の生体情報モニタ装置。
【請求項２８】
前記表示手段は、モニタリング用画面内に、複数種類の生体情報の計測結果をそれぞれ示す波形または文字が同時に含まれている場合には、複数種類の生体情報のうち特定の生体情報の計測結果を示す波形または文字が復元後の画面に覆われないように、復元後の画面を表示する、
請求項２７記載の生体情報モニタ装置。
【請求項２９】
生体情報モニタ装置により実行される画面表示方法であって、
モニタリング用画面を表示し、モニタリング用画面内に、モニタリング対象の生体情報の計測結果を示す波形または文字を描画し、設定操作用画面をモニタリング用画面に重ねて表示して設定操作用画面によりモニタリング関連の設定操作を可能にする表示ステップを有し、
前記表示ステップは、設定操作用画面に覆われたモニタリング用画面内の波形または文字が透けて見えるように、設定操作用画面を半透明に表示する、
画面表示方法。
【請求項３０】
生体情報モニタ装置により実行される画面表示方法であって、
モニタリング用画面を表示し、モニタリング用画面内に、モニタリング対象の生体情報の計測結果を示す波形または文字を描画し、別画面をモニタリング用画面に重ねて表示する表示ステップを有し、
前記表示ステップは、生体情報の計測結果に異常が生じたことを条件として、表示中の別画面の透明度を増大させる、
画面表示方法。
【請求項３１】
生体情報モニタ装置により実行される画面表示方法であって、
モニタリング用画面を表示し、モニタリング用画面内に、モニタリング対象の生体情報の計測結果を示す波形または文字を描画し、別画面をモニタリング用画面に重ねて表示する表示ステップを有し、
前記表示ステップは、モニタリング関連の設定操作が開始されたことを条件として、表示中の別画面の透明度を増大させる、
画面表示方法。
【請求項３２】
生体情報モニタ装置により実行される画面表示方法であって、
モニタリング用画面を表示し、モニタリング用画面内に、モニタリング対象の生体情報の計測結果を示す波形または文字を描画し、別画面をモニタリング用画面に重ねて表示する表示ステップを有し、
前記表示ステップは、生体情報の計測結果に異常が生じたことを条件として、別画面に覆われたモニタリング用画面内の波形または文字を強調表示する、
画面表示方法。
【請求項３３】
生体情報モニタ装置により実行される画面表示方法であって、
モニタリング用画面を表示し、モニタリング用画面内に、モニタリング対象の生体情報の計測結果を示す波形または文字を描画し、別画面をモニタリング用画面に重ねて表示する表示ステップを有し、
前記表示ステップは、モニタリング関連の設定操作が開始されたことを条件として、別画面に覆われたモニタリング用画面内の波形または文字を強調表示する、
画面表示方法。
【請求項３４】
生体情報モニタ装置に設けられたコンピュータに、
モニタリング用画面を表示し、モニタリング用画面内に、モニタリング対象の生体情報の計測結果を示す波形または文字を描画し、設定操作用画面をモニタリング用画面に重ねて表示して設定操作用画面によりモニタリング関連の設定操作を可能にする表示機能を実現させ、
前記表示機能は、設定操作用画面に覆われたモニタリング用画面内の波形または文字が透けて見えるように、設定操作用画面を半透明に表示する、
画面表示プログラム。
【請求項３５】
生体情報モニタ装置に設けられたコンピュータに、
モニタリング用画面を表示し、モニタリング用画面内に、モニタリング対象の生体情報の計測結果を示す波形または文字を描画し、別画面をモニタリング用画面に重ねて表示する表示機能を実現させ、
前記表示機能は、生体情報の計測結果に異常が生じたことを条件として、表示中の別画面の透明度を増大させる、
画面表示プログラム。
【請求項３６】
生体情報モニタ装置に設けられたコンピュータに、
モニタリング用画面を表示し、モニタリング用画面内に、モニタリング対象の生体情報の計測結果を示す波形または文字を描画し、別画面をモニタリング用画面に重ねて表示する表示機能を実現させ、
前記表示機能は、モニタリング関連の設定操作が開始されたことを条件として、表示中の別画面の透明度を増大させる、
画面表示プログラム。
【請求項３７】
生体情報モニタ装置に設けられたコンピュータに、
モニタリング用画面を表示し、モニタリング用画面内に、モニタリング対象の生体情報の計測結果を示す波形または文字を描画し、別画面をモニタリング用画面に重ねて表示する表示機能を実現させ、
前記表示機能は、生体情報の計測結果に異常が生じたことを条件として、別画面に覆われたモニタリング用画面内の波形または文字を強調表示する、
画面表示プログラム。
【請求項３８】
生体情報モニタ装置に設けられたコンピュータに、
モニタリング用画面を表示し、モニタリング用画面内に、モニタリング対象の生体情報の計測結果を示す波形または文字を描画し、別画面をモニタリング用画面に重ねて表示する表示機能を実現させ、
前記表示機能は、モニタリング関連の設定操作が開始されたことを条件として、別画面に覆われたモニタリング用画面内の波形または文字を強調表示する、
画面表示プログラム。
【発明の詳細な説明】
【技術分野】
【０００１】
本発明は、生体情報モニタ装置、画面表示方法および画面表示プログラムに関する。
【背景技術】
【０００２】
生体情報モニタ装置は、生体情報（例えば、心電図、血圧および酸素飽和度など）の計測値および波形を、表示部に一括表示することができる。生体情報モニタ装置の例としては、病室などのベッドサイドに設置して使用されるベッドサイドモニタおよびナースステーションなどに設置して使用されるセントラルモニタなどがある。
【０００３】
生体情報モニタ装置により表示された計測値および波形を見ることで、医療従事者（医師および看護師など）は、患者の容体を把握することができる。また、生体情報モニタ装置は一般に、計測値の異常などが生じたときにアラーム音などにより異常を通知するアラーム機能を有するため、医療従事者は、非常時に適切な措置を迅速にとることができる。
【０００４】
生体情報モニタ装置には、上記アラーム機能のほかにも、不整脈解析を行う機能、長期間（または長時間）における計測値の経過を表示する機能、または使用環境に応じた画面を選択して表示させる機能など、様々な機能が付加される場合がある。このように、近年では多機能化あるいは高機能化が進んでいる。
【０００５】
従来の生体情報モニタ装置においては、上記のように機能的な多様化および高度化が進んでいるだけでなく、画面の表示態様も多様化してきている。例えば特許文献１記載の装置では、アラームの種別または緊急度を示す画面を表示させる。さらに、例えば特許文献２記載の装置では、一部の表示領域に、モニタリング中の複数患者のうち特定患者についてのモニタリング用画面を表示させ、別の表示領域に、モニタリング用画面を表示すべき患者を特定するための設定操作用画面を表示させる。
【先行技術文献】
【特許文献】
【０００６】
【特許文献１】特開２００８−２００１１１号公報
【特許文献２】特開２００２−２６３０７０号公報
【発明の概要】
【発明が解決しようとする課題】
【０００７】
上記従来の生体情報モニタ装置のように、モニタリング対象の生体情報を表示する画面とともに補足的な情報または画面を表示させる場合には、ユーザである医療従事者にとっての利便性を低下させないように、画面の表示態様を適切に設計することが求められる。
【０００８】
このため、例えば特許文献１記載の装置では、発生した異常の種別および緊急度を表すインジケータは、生体情報のモニタリング用画面と分離して表示される。さらに、このインジケータは、モニタリング用画面の視認性が阻害されないように、必要最小限の大きさで表示される。
【０００９】
ところが、例えば特許文献２記載の装置のように、設定操作用画面を表示する場合には、操作性確保のために、設定操作をしやすいサイズで設定操作用画面を表示する必要がある。この場合、残余の表示画面のサイズ、言い換えれば、設定操作用画面と分離して表示されるモニタリング用画面のサイズは、縮小化される。
【００１０】
縮小化したモニタリング用画面に多くの情報を表示させようとすれば、それらの情報は読み取りにくくなる。一方で、縮小化したモニタリング用画面において情報の読み取りやすさを維持しようとすれば、そこに表示可能な情報量は削減されることとなる。つまり、モニタリング用画面に本来表示できるはずの情報の一部は、モニタリング用画面の縮小化により表示できなくなる。表示部が小型である場合、この問題は特に顕著である。このように、例えば設定操作用画面のような別画面をモニタリング用画面とともに表示部に表示させると、生体情報モニタ装置の利便性が低下する場合がある。
【００１１】
本発明の目的は、例えば設定操作用画面のような別画面をモニタリング用画面とともに表示部に表示させる場合において使いやすい生体情報モニタ装置、画面表示方法および画面表示プログラムを提供することである。
【課題を解決するための手段】
【００１２】
本発明の生体情報モニタ装置は、モニタリング用画面を表示し、モニタリング用画面内に、モニタリング対象の生体情報の計測結果を示す波形または文字を描画し、設定操作用画面をモニタリング用画面に重ねて表示して設定操作用画面によりモニタリング関連の設定操作を可能にする表示手段を有し、前記表示手段は、設定操作用画面に覆われたモニタリング用画面内の波形または文字が透けて見えるように、設定操作用画面を半透明に表示する。
【００１３】
本発明の生体情報モニタ装置は、モニタリング用画面を表示し、モニタリング用画面内に、モニタリング対象の生体情報の計測結果を示す波形または文字を描画し、別画面をモニタリング用画面に重ねて表示する表示手段を有し、前記表示手段は、生体情報の計測結果に異常が生じたことを条件として、表示中の別画面の透明度を増大させる。
【００１４】
本発明の生体情報モニタ装置は、モニタリング用画面を表示し、モニタリング用画面内に、モニタリング対象の生体情報の計測結果を示す波形または文字を描画し、別画面をモニタリング用画面に重ねて表示する表示手段を有し、前記表示手段は、モニタリング関連の設定操作が開始されたことを条件として、表示中の別画面の透明度を増大させる。
【００１５】
本発明の生体情報モニタ装置は、モニタリング用画面を表示し、モニタリング用画面内に、モニタリング対象の生体情報の計測結果を示す波形または文字を描画し、別画面をモニタリング用画面に重ねて表示する表示手段を有し、前記表示手段は、生体情報の計測結果に異常が生じたことを条件として、別画面に覆われたモニタリング用画面内の波形または文字を強調表示する。
【００１６】
本発明の生体情報モニタ装置は、モニタリング用画面を表示し、モニタリング用画面内に、モニタリング対象の生体情報の計測結果を示す波形または文字を描画し、別画面をモニタリング用画面に重ねて表示する表示手段を有し、前記表示手段は、モニタリング関連の設定操作が開始されたことを条件として、別画面に覆われたモニタリング用画面内の波形または文字を強調表示する。
【００１７】
本発明の画面表示方法は、生体情報モニタ装置により実行される画面表示方法であって、モニタリング用画面を表示し、モニタリング用画面内に、モニタリング対象の生体情報の計測結果を示す波形または文字を描画し、設定操作用画面をモニタリング用画面に重ねて表示して設定操作用画面によりモニタリング関連の設定操作を可能にする表示ステップを有し、前記表示ステップは、設定操作用画面に覆われたモニタリング用画面内の波形または文字が透けて見えるように、設定操作用画面を半透明に表示する。
【００１８】
本発明の画面表示方法は、生体情報モニタ装置により実行される画面表示方法であって、モニタリング用画面を表示し、モニタリング用画面内に、モニタリング対象の生体情報の計測結果を示す波形または文字を描画し、別画面をモニタリング用画面に重ねて表示する表示ステップを有し、前記表示ステップは、生体情報の計測結果に異常が生じたことを条件として、表示中の別画面の透明度を増大させる。
【００１９】
本発明の画面表示方法は、生体情報モニタ装置により実行される画面表示方法であって、モニタリング用画面を表示し、モニタリング用画面内に、モニタリング対象の生体情報の計測結果を示す波形または文字を描画し、別画面をモニタリング用画面に重ねて表示する表示ステップを有し、前記表示ステップは、モニタリング関連の設定操作が開始されたことを条件として、表示中の別画面の透明度を増大させる。
【００２０】
本発明の画面表示方法は、生体情報モニタ装置により実行される画面表示方法であって、モニタリング用画面を表示し、モニタリング用画面内に、モニタリング対象の生体情報の計測結果を示す波形または文字を描画し、別画面をモニタリング用画面に重ねて表示する表示ステップを有し、前記表示ステップは、生体情報の計測結果に異常が生じたことを条件として、別画面に覆われたモニタリング用画面内の波形または文字を強調表示する。
【００２１】
本発明の画面表示方法は、生体情報モニタ装置により実行される画面表示方法であって、モニタリング用画面を表示し、モニタリング用画面内に、モニタリング対象の生体情報の計測結果を示す波形または文字を描画し、別画面をモニタリング用画面に重ねて表示する表示ステップを有し、前記表示ステップは、モニタリング関連の設定操作が開始されたことを条件として、別画面に覆われたモニタリング用画面内の波形または文字を強調表示する。
【００２２】
本発明の画面表示プログラムは、生体情報モニタ装置に設けられたコンピュータに、モニタリング用画面を表示し、モニタリング用画面内に、モニタリング対象の生体情報の計測結果を示す波形または文字を描画し、設定操作用画面をモニタリング用画面に重ねて表示して設定操作用画面によりモニタリング関連の設定操作を可能にする表示機能を実現させ、前記表示機能は、設定操作用画面に覆われたモニタリング用画面内の波形または文字が透けて見えるように、設定操作用画面を半透明に表示する。
【００２３】
本発明の画面表示プログラムは、生体情報モニタ装置に設けられたコンピュータに、モニタリング用画面を表示し、モニタリング用画面内に、モニタリング対象の生体情報の計測結果を示す波形または文字を描画し、別画面をモニタリング用画面に重ねて表示する表示機能を実現させ、前記表示機能は、生体情報の計測結果に異常が生じたことを条件として、表示中の別画面の透明度を増大させる。
【００２４】
本発明の画面表示プログラムは、生体情報モニタ装置に設けられたコンピュータに、モニタリング用画面を表示し、モニタリング用画面内に、モニタリング対象の生体情報の計測結果を示す波形または文字を描画し、別画面をモニタリング用画面に重ねて表示する表示機能を実現させ、前記表示機能は、モニタリング関連の設定操作が開始されたことを条件として、表示中の別画面の透明度を増大させる。
【００２５】
本発明の画面表示プログラムは、生体情報モニタ装置に設けられたコンピュータに、モニタリング用画面を表示し、モニタリング用画面内に、モニタリング対象の生体情報の計測結果を示す波形または文字を描画し、別画面をモニタリング用画面に重ねて表示する表示機能を実現させ、前記表示機能は、生体情報の計測結果に異常が生じたことを条件として、別画面に覆われたモニタリング用画面内の波形または文字を強調表示する。
【００２６】
本発明の画面表示プログラムは、生体情報モニタ装置に設けられたコンピュータに、モニタリング用画面を表示し、モニタリング用画面内に、モニタリング対象の生体情報の計測結果を示す波形または文字を描画し、別画面をモニタリング用画面に重ねて表示する表示機能を実現させ、前記表示機能は、モニタリング関連の設定操作が開始されたことを条件として、別画面に覆われたモニタリング用画面内の波形または文字を強調表示する。
【発明の効果】
【００２７】
本発明によれば、例えば設定操作用画面のような別画面をモニタリング用画面とともに表示部に表示させる場合において、生体情報モニタ装置の使いやすさを向上させることができる。
【図面の簡単な説明】
【００２８】
【図１】本発明の一実施の形態に係る生体情報モニタシステムの概略構成を示す図
【図２】本発明の一実施の形態に係る表示画面の２層レイヤ構造を説明するための図
【図３】本発明の一実施の形態に係る表示画面の３層レイヤ構造を説明するための図
【図４】本発明の一実施の形態に係る基本画面を説明するための図
【図５】本発明の一実施の形態に係るサブ画面を説明するための図
【図６】本発明の一実施の形態に係るポップアップ画面を説明するための図
【図７Ａ】図５に示すサブ画面を図４に示す基本画面に重ねた表示画面の第１の例を説明するための図
【図７Ｂ】図５に示すサブ画面を図４に示す基本画面に重ねた表示画面の第２の例を説明するための図
【図７Ｃ】図５に示すサブ画面を図４に示す基本画面に重ねた表示画面の第３の例を説明するための図
【図８Ａ】図６に示すポップアップ画面を図４に示す基本画面に重ねた表示画面の第１の例を説明するための図
【図８Ｂ】図６に示すポップアップ画面を図４に示す基本画面に重ねた表示画面の第２の例を説明するための図
【図８Ｃ】図６に示すポップアップ画面を図４に示す基本画面に重ねた表示画面の第３の例を説明するための図
【図８Ｄ】図６に示すポップアップ画面を図４に示す基本画面に重ねた表示画面の第４の例を説明するための図
【図８Ｅ】図６に示すポップアップ画面を図４に示す基本画面に重ねた表示画面の第５の例を説明するための図
【図８Ｆ】図６に示すポップアップ画面を図４に示す基本画面に重ねた表示画面の第６の例を説明するための図
【発明を実施するための形態】
【００２９】
以下、本発明の実施の形態について、図面を用いて詳細に説明する。下記実施の形態では、本発明の生体情報モニタ装置をベッドサイドモニタに適用した場合を例にとって説明する。
【００３０】
図１は、本発明の一実施の形態に係るベッドサイドモニタを含む生体情報モニタシステムの概略構成を示す図である。
【００３１】
図１の生体情報モニタシステムは、ベッドサイドモニタ１００およびセントラルモニタ１２０を有する。ベッドサイドモニタ１００は、病室、手術室または集中治療室などにおいて患者のベッドサイドに置いて使用される。セントラルモニタ１２０は、患者から離れた場所（例えばナースステーションなど）に置いて使用される。
【００３２】
なお、生体情報モニタシステムは一般に、１台のセントラルモニタに対して複数台のベッドサイドモニタを接続することができるが、本実施の形態では説明簡略化のために、１台のベッドサイドモニタのみ接続した場合を例にとって説明する。
【００３３】
ベッドサイドモニタ１００は、ベッドサイドモニタ本体１０１、マルチポートモジュール１０２およびベッドサイドモニタ表示部１０３を主として有する。また、ベッドサイドモニタ１００には、テレメータ送信機１０４、心電ケーブル１０５、第１観血血圧ケーブル１０６、第２観血血圧テーブル１０７、体温プローブ１０８、酸素飽和度（ＳｐＯ２）センサ１０９およびカフ１１０が、接続されている。
【００３４】
セントラルモニタ１２０は、セントラルモニタ本体１２１およびセントラルモニタ表示部１２３を主として有し、セントラルモニタ１２０にはテレメータ受信機１２２が接続されている。
【００３５】
ベッドサイドモニタ本体１０１は、演算処理装置（ＣＰＵ：Central Processing Unit）およびメモリを有する。メモリには、セントラルモニタ１００の各動作を制御するためのプログラムが格納されており、このプログラムには、ベッドサイドモニタ本体１０１に設けられたＣＰＵに、後述の画面表示機能を実現させるための画像表示プログラムが、含まれる。
【００３６】
ベッドサイドモニタ本体１０１には、マルチポートモジュール１０２、ベッドサイドモニタ表示部１０３およびテレメータ送信機１０４がそれぞれケーブルを介して接続されている。
【００３７】
ベッドサイドモニタ本体１０１は、マルチポートモジュール１０２から生体情報データを受信して、これをテレメータ送信機１０４に送信する。生体情報データは、テレメータ送信機１０４により無線送信処理を施されたうえで、セントラルモニタ１２０に無線送信される。無線送信された生体情報データは、テレメータ受信機１２２を介してセントラルモニタ本体１２１により受信され、セントラルモニタ表示部１２３に表示される。
【００３８】
また、ベッドサイドモニタ本体１０１は、受信した生体情報データに対して、計測値異常判定および不整脈解析など、各種の解析を、設定条件に従って適用する。生体情報データおよびこの解析の結果は、ベッドサイドモニタ表示部１０３によりモニタリング用画面として表示可能であり、ＣＰＵは、これらをベッドサイドモニタ表示部１０３に表示させるための画像処理を行う。
【００３９】
設定条件は、予め設定されているが、ユーザが設定操作を行うことにより変更することもできる。設定操作を行うための各種設定操作用画面もベッドサイドモニタ表示部１０３に表示可能であり、ＣＰＵは、これをベッドサイドモニタ表示部１０３に表示させるための画像処理も行う。
【００４０】
マルチポートモジュール１０２には、心電ケーブル１０５、第１観血血圧ケーブル１０６、第２観血血圧ケーブル１０７、体温プローブ１０８、酸素飽和度センサ１０９およびカフ１１０が接続されている。
【００４１】
心電ケーブル１０５は、心電図計測用のセンサであり、患者体表上の複数個所に装着可能な電極を有する。マルチポートモジュール１０２は、心電ケーブル１０５を用いて誘導法により患者の心起電力を検出し、その値を表す検出データを得る。なお、心電ケーブル１０５は、呼吸計測用のセンサとして使用することもできる。
【００４２】
第１観血血圧ケーブル１０６は、血圧計測用のセンサであり、患者の特定部位の動脈または静脈に挿入可能なトランスデューサを有する。マルチポートモジュール１０２は、第１観血血圧ケーブル１０６により、患者の観血血圧（第１観血血圧）を検出し、その値を表す検出データを得る。
【００４３】
第２観血血圧ケーブル１０７は、血圧計測用のセンサであり、患者の、第１観血血圧ケーブル１０６とは別の部位の動脈または静脈に挿入可能なトランスデューサを有する。マルチポートモジュール１０２は、第２観血血圧ケーブル１０７により、患者の観血血圧（第２観血血圧）を検出し、その値を表す検出データを得る。
【００４４】
体温プローブ１０８は、体温計測用のセンサであり、患者体表上の特定部位に装着される。マルチポートモジュール１０２は、体温プローブ１０８により、患者の体温を検出し、その値を表す検出データを得る。
【００４５】
酸素飽和度センサ１０９は、酸素飽和度計測用のセンサであり、患者体表上の特定部位に装着される。酸素飽和度センサ１０９は、装着部位に光を当て、その反射光または透過光を検知し、その検出結果から酸素飽和度を算出し、これを表す検出データを得る。得られた検出データはマルチポートモジュール１０２に伝送される。
【００４６】
カフ１１０は、血圧計測用のセンサを構成するものであり、患者の特定部位に巻回装着される。マルチポートモジュール１０２は、カフ１１０を用いてオシロメトリック方式により非観血血圧を算出し、その値を表す検出データを得る。
【００４７】
マルチポートモジュール１０２には、呼吸ガスおよび麻酔ガスについてのデータ収集に用いられるガスモジュール（図示せず）を接続することができる。ガスモジュールは、患者の呼吸気における炭酸ガス、亜酸化窒素（笑気ガス）、吸入麻酔薬（例えばセボフルラン）および酸素などの濃度、ならびに呼吸数などを検出し、これを表す検出データを得る。得られた検出データは、マルチポートモジュール１０２に伝送される。
【００４８】
マルチポートモジュール１０２は、自ら取得しまたは外部から入力された検出データを、所定の伝送フォーマットに従って生体情報データとしてベッドサイドモニタ本体１０１に送信する。
【００４９】
表示手段としてのベッドサイドモニタ表示部１０３は、例えば液晶表示装置のような表示装置であり、表示領域のほかに音声出力部を有する。音声出力部は、ベッドサイドモニタ本体１０１の解析結果に従ってアラーム音を出力したり、タッチパネル機能を用いて画面上で各種操作を行うときに操作音を出力したりする。
【００５０】
また、ベッドサイドモニタ表示部１０３は、タッチパネルを備えている。これにより、ユーザは表示画面上で各種操作を行うことができる。タッチパネル機能を用いた操作による入力は、入力信号としてベッドサイドモニタ本体１０１に伝送され、この入力信号に基づいて、ベッドサイドモニタ本体１０１において設定条件の変更などが行われる。この機能を用いて患者情報を入力することもできる。
【００５１】
また、ベッドサイドモニタ表示部１０３は、ベッドサイドモニタ本体１０１の画像処理結果に基づいて各種画面を表示領域に表示する。
【００５２】
以上、生体情報モニタシステムの構成について説明した。
【００５３】
次いで、ベッドサイドモニタ１００におけるベッドサイドモニタ表示部１０３の表示画面について説明する。
【００５４】
ベッドサイドモニタ本体１０１は、画像処理により、複数の画面レイヤを形成して、レイヤごとに画面の画像データを生成することができる。したがって、画像処理の結果として得られる画像データは、レイヤ構造を有する。
【００５５】
図２には、レイヤ構造の一例として２層レイヤ構造が示されている。この例では、画面レイヤ１０３ａの前面側（言い換えれば上層側）に画面レイヤ１０３ｂが配置されている。この場合、表示領域には、画面レイヤ１０３ａの画像データに基づいて１つの画面が表示され、さらにその画面に重ねて、画面レイヤ１０３ｂの画像データに基づいて他の画面が表示される。これにより、例えば、モニタリング用画面を表示させると同時に、モニタリング用画面の前面側に、設定操作用画面を表示させることができる。
【００５６】
図３には、レイヤ構造の他の例として３層レイヤ構造が示されている。この例では、画面レイヤ１０３ａの前面側に画面レイヤ１０３ｂが配置され、さらにその前面側に画面レイヤ１０３ｃが配置されている。この場合、表示領域には、画面レイヤ１０３ａの画像データに基づいて１つの画面が表示され、さらにその画面に重ねて、画面レイヤ１０３ｂの画像データに基づいて他の画面が表示され、さらにそれらの画面に重ねて、画面レイヤ１０３ｃの画像データに基づいてさらに他の画面が表示される。これにより、例えば、モニタリング用画面の前面側に設定操作用画面を表示させるだけでなく、さらに設定操作用画面の前面側に追加の画面を表示させることができる。
【００５７】
なお、図２に示す２層レイヤ構造では、画面レイヤ１０３ａ、１０３ｂのサイズが互いに同じであるが、必ずしもそのような関係を有する必要はない。例えば、画面レイヤ１０３ａのサイズを表示領域の全体とするのに対し、画面レイヤ１０３ｂ、１０３ｃのサイズを表示領域の一部分としてもよい。この場合、画面レイヤ１０３ａに対する画面レイヤ１０３ｂ、１０３ｃの位置については、常時固定でもよいし、設定操作により任意に変更可能でもよい。
【００５８】
図４は、モニタリング用画面を含む基本画面の一例を示す。この画面は通常、最下層の画面レイヤ１０３ａの画像として表示される。
【００５９】
図４の基本画面１３０は、患者情報表示領域１３１、波形表示領域１３２、計測値表示領域１３３およびメニューバー表示領域１３４を含む。モニタリング用画面は、波形表示領域１３２と計測値表示領域１３３との組合せにより構成される。
【００６０】
基本画面１３０の上方部分に位置する患者情報表示領域１３１には、患者情報などが描画される。
【００６１】
基本画面１３０の中間左側部分に位置する波形表示領域１３２には、各生体情報の計測値の変動の様子が波形として描画される。この例では、心電図（ＥＣＧ１、ＥＣＧ２）、酸素飽和度（ＳｐＯ２）、観血血圧（ＢＰ１、ＢＰ２）、ならびに呼吸気中の炭酸ガス濃度（ＣＯ２）、セボフルラン濃度（ＳＥＶ）、および酸素濃度（Ｏ２）の各波形が、描画されている。描画対象の生体情報の種類および描画位置は、設定操作により適宜変更可能である。
【００６２】
基本画面１３０の中間右側部分に位置する計測値表示領域１３３には、各生体情報の計測値が数字として描画される。この例では、心拍数（ＨＲ）、酸素飽和度（ＳｐＯ２）、非観血血圧（ＮＩＢＰ）、観血血圧（ＢＰ１、ＢＰ２）、体温（Ｔ１：例えば直腸温）、皮膚温（ＴｓＫ）、吸気炭酸ガス濃度（ＩｎｓｐＣＯ２）、呼気終末炭酸ガス濃度（ＥｔＣＯ２）、呼吸気中の笑気ガス濃度（Ｎ２Ｏ）、呼吸数、呼吸気中のセボフルラン濃度（ＳＥＶ）、および呼吸気中の酸素濃度（Ｏ２）の各計測値が、描画されている。描画対象の生体情報の種類および描画位置は、設定操作により適宜変更可能である。
【００６３】
計測値表示領域１３３において、計測値が描画されている各枠内の領域は、ユーザが指で触れることによる操作入力を受け付ける入力領域となっている。例えば、心拍数の計測値が描画されている入力領域１３５に触れると、心電図のモニタリングに関連する設定操作用画面がポップアップ表示され、心電図のモニタリングに関連する設定操作が可能となる。このポップアップ画面は、基本画面１３０とは異なる画面レイヤに対応する画像として表示される。
【００６４】
なお、操作入力は、画面上の入力領域に触れることによる操作入力に限られず、例えばマウスを用いて入力領域をクリックすることによる操作入力などであってもよい。
【００６５】
基本画面１３０の下方部分に位置するメニューバー表示領域１３４には、メニューバーが描画される。
【００６６】
メニューバー表示領域１３４において、メニューバーを構成する「ホーム」および「メニュー」などの各矩形領域は、入力領域となっている。例えば、「メニュー」という表記を有する入力領域１３６に触れると、モニタリング全般の設定操作メニューを提示する設定操作用画面がサブ画面として表示され、モニタリング全般の設定操作が可能となる。このサブ画面は、基本画面１３０とは異なる画面レイヤの画像として表示される。
【００６７】
また、メニューバー表示領域１３４の左端部に位置する入力領域は、最小化表示領域１３７となっている。すなわち、モニタリング用画面に重ねて表示されていた前述のポップアップ画面またはサブ画面に対して、最小化の操作が行われた場合は、ポップアップ画面およびサブ画面が最小化されて最小化表示領域１３７内に表示される。その後、最小化表示領域１３７を利用して所定の操作入力が行われると、最小化表示領域１３７に表示されていた画面は復元され、再びモニタリング用画面に重ねて表示される。
【００６８】
図５は、設定操作用画面であるサブ画面の一例を示す。この画面は通常、中間層の画面レイヤ１０３ｂの画像として表示される。
【００６９】
図５のサブ画面１４０は、各種生体情報のパラメータ設定操作に用いられる画面であり、入力領域（例えば、入力領域１４１、１４２）を含む。残余の領域は非入力領域１４３である。例えば、入力領域１４１に触れることにより、心電図（ＥＣＧ１）の感度あるいは描画対象の誘導についての設定を行うことができる。また、入力領域１４２に触れることにより、波形モードの選択など、様々な詳細設定を行うことができる。一方、非入力領域１４３に触れても、それは操作入力として受け付けられないため、設定条件の変更などは発生しない。
【００７０】
また、サブ画面１４０には、最小化ボタン１４４が設けられており、最小化ボタン１４４に触れると、サブ画面１４０は最小化表示される。
【００７１】
図６は、設定操作用画面であるポップアップ画面の一例を示す。この画面は通常、中間層の画面レイヤ１０３ｂの画像として表示される。
【００７２】
図６のポップアップ画面１５０は、個々の生体情報のパラメータ設定操作に用いられる画面であり、入力領域（例えば、入力領域１５１）を含む。残余の領域は非入力領域１５２である。例えば、入力領域１５１に触れることにより、心拍数の計測値異常判定用の上下閾値を設定することができる。一方、非入力領域１５２に触れても、それは操作入力として受け付けられないため、設定条件の変更などは発生しない。
【００７３】
また、ポップアップ画面１５０には、終了ボタン１５３および最小化ボタン１５４が設けられており、終了ボタン１５３に触れるとポップアップ画面１５０は閉じられ、最小化ボタン１５４に触れるとポップアップ画面１５０は最小化表示される。
【００７４】
以下、図７Ａ〜図７Ｃを参照して、モニタリング用画面を含む基本画面にサブ画面を重ねて表示した場合について説明する。
【００７５】
図７Ａを参照すると、サブ画面がモニタリング用画面の一部分を覆って表示されている。図７Ａに示す状態では、サブ画面は、モニタリング用画面内の特に波形表示領域の大部分を覆うサイズを有している。
【００７６】
この例では、サブ画面は、左下にてモニタリング用画面と位置合わせされている。このため、表示中の複数波形の中で特に重要であり、波形表示領域の一番上に描画されている心電図波形を、サブ画面に覆われることなく表示させることができる。また、波形表示領域に比べて患者の容体を瞬時に把握しやすい計測値表示領域も、サブ画面に覆われることなく表示させることができる。
【００７７】
なお、サブ画面をモニタリング用画面のどの部分に重ねて表示するかは、適宜変更して実施することができる。例えば、できるだけ波形表示領域が覆われないように、計測値表示領域を覆ってサブ画面を表示させることも可能である。
【００７８】
また、図７Ａに示す状態では、サブ画面が不透明に表示されている。つまり、このサブ画面の画面レイヤ全体において、透明度はゼロに設定されている。このため、サブ画面に覆われた波形は、サブ画面の背後に隠れた状態となっている。
【００７９】
これに対し、図７Ｂを参照すると、サブ画面の内部領域、具体的には非入力領域は、半透明となっている。このため、サブ画面に覆われていても非入力領域に覆われている部分の波形は、透けて見えている。よって、図７Ａでは一部がサブ画面に隠れている酸素飽和度波形は、図７Ｂでは全体的に視認可能である。また、図７Ａでは１拍分あるいは呼吸１回分程度だけ視認可能な波形（観血血圧波形および炭酸ガス濃度波形など）は、図７Ｂでは数拍分あるいは呼吸数回分程度まで視認可能である。
【００８０】
このように、たとえモニタリング用画面の大部分がサブ画面により覆われていても、そこに描画された波形を、サブ画面の非入力領域に対して透過させて表示させることができる。よって、モニタリング用画面にサブ画面を重ねて表示しても、視認可能な波形の長さを長くすることができ、モニタリング用画面の視認性を向上することができる。
【００８１】
サブ画面の非入力領域は、波形を透過させるために半透明に表示されるが透明には表示されない。また、サブ画面の入力領域は不透明に表示される。これにより、サブ画面自体の視認性が確保されるため、サブ画面を用いて設定操作を行う際に何ら支障は生じない。
【００８２】
なお、「半透明」とは、透明度が５０％であることを意味するものではなく、完全な透明でも完全な不透明でもない状態を意味している。ただし、実際には、ある画面を「半透明」とする場合、その画面の透明度は、その画面自体とその画面に覆われた表示物とが両方とも視認可能となる範囲内の値に設定される。この値は、予め決められた不変の値であってもよいし、設定操作により変更し得るものであってもよい。
【００８３】
また、図７Ｂに示す状態では、サブ画面内の入力領域の表示は、図７Ａと同様、不透明である。このため、入力領域に覆われている部分の波形は、図７Ａと同様、サブ画面に隠れている。入力領域において波形が透けて見えると波形の変動で入力領域の表示内容が視認しにくくなる場合があるが、これを防ぐことができる。
【００８４】
モニタリング用画面にサブ画面を重ねて表示する場合、無条件で常に、図７Ｂに示すような波形透過表示を行うようにしてもよい。あるいは、図７Ａに示すような波形不透過表示モードと図７Ｂに示すような波形透過表示モードとのいずれかを、ユーザが設定操作により選択することができるようにしてもよい。
【００８５】
また、通常時には図７Ａに示すような波形不透過表示モードで動作し、何らかの事象が発生したことを条件として、図７Ｂに示すような部分波形透過表示モードに移行するようにしてもよい。例えば、波形不透過表示モードの期間中に行った解析により、計測結果の異常が判明した場合に、部分波形透過表示モードに移行するようにしてもよい。あるいは、波形不透過表示モードの期間中にユーザが何らかの設定操作を開始した場合に、部分波形透過表示モードに移行するようにしてもよい。なお、設定操作の開始のタイミングは、メニューバー表示領域内あるいは計測値表示領域内の入力領域に触れてサブ画面あるいはポップアップ画面を呼び出すタイミングとしてもよいし、他の適切なタイミングとしてもよい。
【００８６】
図７Ｃを参照すると、サブ画面の非入力領域だけでなく入力領域に覆われた波形も、視認可能な状態となっている。具体的には、観血血圧、炭酸ガス濃度、セボフルラン濃度および酸素濃度の各波形は、図７Ｂではサブ画面の入力領域に部分的に隠れた状態となっているが、図７Ｃではサブ画面の入力領域に覆われていても視認可能である。
【００８７】
すなわち、図７Ｃに示す状態では、サブ画面の入力領域が半透明に表示されるため、入力領域に覆われている波形は透けて見える。このため、炭酸ガス濃度、セボフルラン濃度および酸素濃度の各波形は、図７Ｂでは一部が視認不可能であるが、図７Ｃでは全体的に視認可能である。
【００８８】
このように、たとえモニタリング用画面の大部分がサブ画面により覆われていても、そこに描画された波形を、サブ画面の全領域に対して透過させて表示させることができる。よって、モニタリング用画面にサブ画面を重ねて表示しても、波形において視認不可能な部分をなくすことができ、モニタリング用画面の視認性を一層向上することができる。
【００８９】
サブ画面は、波形を透過させるためにその全領域が半透明に表示されるが、透明には表示されない。これにより、サブ画面自体も視認可能となるため、サブ画面を用いて設定操作を行う際に何ら支障は生じない。
【００９０】
図７Ｂに示すような部分波形透過表示モードから図７Ｃに示すような全体波形透過表示モードへの移行は、何らかの事象が発生したことを条件とすることが好ましい。例えば、部分波形透過表示モードの期間中に行った解析により、計測結果の異常が判明した場合に、全体波形透過表示モードに移行するようにしてもよい。あるいは、部分波形透過表示モードの期間中にユーザが何らかの設定操作を開始した場合に、全体波形透過表示モードに移行するようにしてもよい。このようにすることにより、医療従事者が表示画面を見て診断をしたり操作をしたりすることが特に必要な場合に、両画面の視認性を確保することができる。
【００９１】
さらに、図７Ｃに示すように、例えば、心電図、酸素飽和度および観血血圧の各計測結果において異常が判明した場合には、それらの生体情報に関連する波形および計測値を強調表示することができる。
【００９２】
強調表示の手法としては、様々な手法が考えられるが、例えば、強調表示のための画面レイヤを追加する手法は、モニタリング用画面のベースとなる画像データの生成プログラムに変更を必要としない点で、有利である。
【００９３】
この手法を採る場合は、追加の画面レイヤを、図３に示すように画面レイヤ１０３ｃを画面レイヤ１０３ａ、１０３ｂの前面側に配置して、追加画面レイヤの画像として透明な画面（以下「強調表示用画面」という）を表示する。そして、異常が生じたときに、太さあるいは輝度などによって強調された波形および計測値を、強調表示用画面に描画する。
【００９４】
このような強調表示を行うことにより、異常が生じた場合に、波形および計測値の視認性を非常に高くすることができる。
【００９５】
また、表示中の生体情報のうち異常が生じた生体情報についてのみ、波形および文字を目立たせることができるため、どの生体情報に異常が生じたのかを、医療従事者は瞬時に把握することができる。
【００９６】
さらに、強調表示用画面は透明であるため、その背面側に位置するモニタリング用画面および設定操作用画面の視認性は全く損なわれない。
【００９７】
また、図７Ｃに示す状態では、図７Ｂに示す状態に比べて、サブ画面の透明度が増大している。つまり、生体情報の計測結果に異常が生じた場合には、サブ画面の透明度が増大される。これにより、モニタリング用画面内の波形および計測値あるいは強調表示用画面内の波形および計測値を、相対的に目立たせることができる。
【００９８】
なお、図７Ｃでは、全体波形透過表示モードへの移行と強調表示とを両方とも行っているが、そのいずれか一方のみを行うようにしてもよい。
【００９９】
以下、図８Ａ〜図８Ｆを参照して、モニタリング用画面を含む基本画面にポップアップ画面を重ねて表示した場合について説明する。
【０１００】
図８Ａを参照すると、ポップアップ画面がモニタリング用画面の一部分を覆って表示されている。図８Ａに示す状態では、表示中の複数波形の中で特に重要であり、波形表示領域の一番上に描画されている心電図波形が、ポップアップ画面に覆われることなく表示されるように、ポップアップ画面の位置決めがなされている。また、波形表示領域に比べて患者の容体を瞬時に把握しやすい計測値表示領域も、サブ画面に覆われることなく表示されるように、ポップアップ画面の位置決めがなされている。
【０１０１】
なお、ポップアップ画面をモニタリング用画面のどの部分に重ねて表示するかは、適宜変更して実施することができる。例えば、できるだけ波形表示領域が覆われないように、計測値表示領域を覆ってポップアップ画面を表示させることもできる。
【０１０２】
また、図８Ａに示す状態では、ポップアップ画面が不透明に表示されている。このため、ポップアップ画面に覆われた波形は、ポップアップ画面の背後に隠れた状態となっている。
【０１０３】
これに対し、図８Ｂを参照すると、ポップアップ画面の内部領域、具体的には非入力領域は、半透明となっている。このため、ポップアップ画面に覆われていても非入力領域に覆われている部分の波形は、透けて見える。よって、酸素飽和度および観血血圧の各波形は、部分的にポップアップ画面に覆われているものの、視認可能な波形の長さは、図８Ａに示す状態に比べて長くなっている。
【０１０４】
ポップアップ画面の非入力領域は、波形を透過させるために半透明に表示されるが透明には表示されない。また、ポップアップ画面の入力領域は不透明に表示される。これにより、ポップアップ画面自体の視認性が確保されるため、ポップアップ画面を用いて設定操作を行う際に何ら支障は生じない。
【０１０５】
また、図８Ｂに示す状態では、ポップアップ画面内の入力領域の表示は、図８Ａと同様、不透明である。このため、入力領域に覆われている部分の波形は、図８Ａと同様、ポップアップ画面に隠れている。入力領域において波形が透けて見えると波形の変動で入力領域の表示内容が視認しにくくなる場合があるが、これを防ぐことができる。
【０１０６】
モニタリング用画面にポップアップ画面を重ねて表示する場合、無条件で常に、図８Ｂに示すような波形透過表示を行うようにしてもよい。あるいは、図８Ａに示すような波形不透過表示モードと図８Ｂに示すような波形透過表示モードとのいずれかを、ユーザが設定操作により選択することができるようにしてもよい。
【０１０７】
また、通常時には図８Ａに示すような波形不透過表示モードで動作し、何らかの事象が発生したことを条件として、図８Ｂに示すような部分波形透過表示モードに移行するようにしてもよい。例えば、波形不透過表示モードの期間中に行った解析により、計測結果の異常が判明した場合に、部分波形透過表示モードに移行するようにしてもよい。あるいは、波形不透過表示モードの期間中にユーザが何らかの設定操作を開始した場合に、部分波形透過表示モードに移行するようにしてもよい。
【０１０８】
図８Ｃを参照すると、ポップアップ画面の非入力領域だけでなく入力領域に覆われた波形も、視認可能な状態となっている。具体的には、酸素飽和度および観血血圧の各波形は、図８Ｂではポップアップ画面の入力領域に部分的に隠れた状態となっているが、図８Ｃではポップアップ画面の入力領域に覆われていても視認可能である。
【０１０９】
すなわち、図８Ｃに示す状態では、ポップアップ画面の入力領域が半透明に表示されるため、入力領域に覆われている波形は透けて見える。このため、酸素飽和度および観血血圧の各波形は、図８Ｂでは一部が視認不可能であるが、図８Ｃでは全体的に視認可能である。
【０１１０】
このように、たとえモニタリング用画面が部分的にポップアップ画面に覆われていても、そこに描画された波形を、ポップアップ画面の全領域に対して透過させて表示させることができる。よって、モニタリング用画面にポップアップ画面を重ねて表示しても、波形において視認不可能な部分をなくすことができ、モニタリング用画面の視認性を一層向上することができる。
【０１１１】
ポップアップ画面は、波形を透過させるためにその全体が半透明に表示されるが、透明には表示されない。これにより、ポップアップ画面全体も視認可能となるため、ポップアップ画面を用いて設定操作を行う際に何ら支障は生じない。
【０１１２】
図８Ｂに示すような部分波形透過表示モードから図８Ｃに示すような全体波形透過表示モードへの移行は、何らかの事象が発生したことを条件とすることが好ましい。例えば、部分波形透過表示モードの期間中に行った解析により、計測結果の異常が判明した場合に、全体波形透過表示モードに移行するようにしてもよい。あるいは、部分波形透過表示モードの期間中にユーザが何らかの設定操作を開始した場合に、全体波形透過表示モードに移行するようにしてもよい。このようにすることにより、医療従事者が表示画面を見て診断をしたり操作をしたりすることが特に必要な場合に、両画面の視認性を確保することができる。
【０１１３】
さらに、図８Ｃに示すように、例えば、酸素飽和度の計測結果において異常が判明した場合には、酸素飽和度の波形および計測値を強調表示することができる。この強調表示には、前述の手法を採ることができる。
【０１１４】
特定の生体情報についての波形および文字の強調表示は、設定操作が開始されたときにも、行うことができる。例えば、計測値表示領域の例えば酸素飽和度の枠内に触れると、酸素飽和度のモニタリングに関連するポップアップ画面が表示されると同時に、酸素飽和度の波形および文字が強調表示される。こうすることにより、設定操作対象の生体情報である酸素飽和度についての波形および計測値を目立たせることができる。
【０１１５】
また、図８Ｃでは、図８Ｂに示す状態に比べて、ポップアップ画面の透明度が増大している。つまり、生体情報の計測結果に異常が生じた場合あるいは設定操作が開始された場合には、ポップアップ画面の透明度が増大される。これにより、モニタリング用画面内の波形および計測値あるいは強調表示用画面内の波形および計測値を、相対的に目立たせることができる。
【０１１６】
なお、図８Ｃでは、全体波形透過表示モードへの移行と強調表示とを両方とも行っているが、そのいずれか一方のみを行うようにしてもよい。
【０１１７】
図８Ｃに示す状態において、ポップアップ画面内の最小化ボタンに触れる操作が行われると、ポップアップ画面は、基本画面左下の最小化表示領域に収まるサイズまで縮小化された状態で表示される（図８Ｄ参照）。すなわち、ポップアップ画面を用いた設定操作は終了せず、そのポップアップ画面は一時的に最小化表示領域に格納される。心電図のモニタリングに関連する設定操作用のポップアップ画面が格納されると、図示されているように、最小化表示領域に「パラメータ＞ＥＣＧ」の表示が現れる。そして、最小化表示領域は、複数の矩形を重ねた表示となり、これにより、複数の画面がここに格納されていることが分かるようになる。
【０１１８】
図８Ｄに示す状態において、最小化表示領域に触れる操作が行われると、最小化表示領域に格納されている設定操作用画面の一覧が縦に並べて表示される（図８Ｅ参照）。
【０１１９】
表示された一覧の中から例えば「パラメータ＞ＥＣＧ」を選択する操作が行われると、心電図のモニタリングに関連する設定操作用のポップアップ画面が復元され、再びモニタリング用画面に重ねて表示される（図８Ｆ参照）。このとき、ポップアップ画面を、元の位置に戻してもよいが、例えば直近に異常が生じた生体情報などのような特定の生体情報についての波形および計測値を避けるように、別の位置に戻してもよい。
【０１２０】
このように、本実施の形態によれば、サブ画面またはポップアップ画面といった設定操作用画面をモニタリング用画面に重ねて表示するときに、設定操作用画面に覆われたモニタリング用画面内の波形が透けて見えるように、設定操作用画面を半透明に表示する。これにより、設定操作用画面とモニタリング用画面との視認性を両方とも確保することができる。
【０１２１】
また、本実施の形態によれば、設定操作用画面のような別画面をモニタリング用画面に重ねて表示するときに、生体情報の計測結果に異常が生じたことを条件として、別画面に覆われたモニタリング用画面内の波形が透けて見えるように、別画面を半透明化する。これにより、異常が生じた生体情報の波形が別画面に覆われていても、その波形を観察することができる。別画面が設定操作用画面である場合は、その波形を観察しながら設定操作を行うことができる。
【０１２２】
また、本実施の形態によれば、別画面をモニタリング用画面に重ねて表示するときに、モニタリング関連の設定操作が開始されたことを条件として、別画面に覆われたモニタリング用画面内の波形が透けて見えるように、表示中の別画面を半透明化する。これにより、例えば設定操作対象の生体情報の波形が別画面に覆われていても、その波形を観察しながら設定操作を行うことができる。
【０１２３】
また、本実施の形態によれば、別画面をモニタリング用画面に重ねて表示するときに、生体情報の計測結果に異常が生じたことを条件として、別画面に覆われたモニタリング用画面内の波形を強調表示する。これにより、異常が生じた生体情報の波形が別画面に覆われていても、その波形を観察することができる。別画面が設定操作用画面である場合は、その波形を観察しながら設定操作を行うことができる。
【０１２４】
また、本実施の形態によれば、別画面をモニタリング用画面に重ねて表示するときに、モニタリング関連の設定操作が開始されたことを条件として、別画面に覆われたモニタリング用画面内の波形を強調表示する。これにより、例えば設定操作対象の生体情報の波形が別画面に覆われていても、その波形を観察しながら設定操作を行うことができる。
【０１２５】
以上、本発明の実施の形態について説明した。以上の説明は本発明の好適な実施の形態の例証であり、本発明の範囲はこれに限定されず、上記実施の形態は種々変更して実施することができる。
【符号の説明】
【０１２６】
１００  ベッドサイドモニタ
１０１  ベッドサイドモニタ本体
１０２  マルチポートモジュール
１０３  ベッドサイドモニタ表示部
１０４  テレメータ送信機
１２０  セントラルモニタ
１０３ａ、１０３ｂ、１０３ｃ  画面レイヤ
１３０  基本画面
１３２  波形表示領域
１３３  計測値表示領域
１４０  サブ画面
１４１、１４２、１５１  入力領域
１４３、１５２  非入力領域
１５０  ポップアップ画面
【図１】
2011182872.tif 000003
【図２】
2011182872.tif 000004
【図３】
2011182872.tif 000005
【図４】
2011182872.tif 000006
【図５】
2011182872.tif 000007
【図６】
2011182872.tif 000008
【図７Ａ】
2011182872.tif 000009
【図７Ｂ】
2011182872.tif 000010
【図７Ｃ】
2011182872.tif 000011
【図８Ａ】
2011182872.tif 000012
【図８Ｂ】
2011182872.tif 000013
【図８Ｃ】
2011182872.tif 000014
【図８Ｄ】
2011182872.tif 000015
【図８Ｅ】
2011182872.tif 000016
【図８Ｆ】
2011182872.tif 000017